(57)【特許請求の範囲】
【請求項１】
映像データを貯蔵するビデオＲＡＭと、
映像メモリにデータを貯蔵するか、または映像メモリに貯蔵されたデータを読出してディスプレイするためビデオＲＡＭを制御する映像制御器と、
前記映像制御器とビデオＲＡＭとの間でビデオＲＡＭのアドレスインデックスデータを有してビデオＲＡＭ空間を変更させられる変換器と、
映像制御器とビデオＲＡＭとを連結して映像データに同期して伝送する輝度データと色度データそれぞれのバス送信器と、
からなることを特徴とする映像オーバーレーイメージコンバータ。
【請求項２】
映像制御器とビデオＲＡＭとを連結してメモリアドレスを伝送するバス送信器、ならびにシステムデータバスおよび映像メモリを直接連結して映像メモリとシステムとの間のデータ交換を可能にするバス送信器を含む送信装置と、
ＲＡＳとＣＡＳアドレスインデックスを別に貯蔵するため複数個のマルチプレクサおよび複数個のメモリからなるビデオＲＡＭのインデックス部と、
からなることを特徴とする映像オーバーレーイメージコンバータ。
【請求項３】
前記バス送信器および変換器を構成する各素子らの制御信号は次のようなプログラマブルアレイロジックからなることを特徴とする請求項１に記載の映像オーバーレーイメージコンバータ。
0003738918.tif 000003
【請求項４】
前記バス送信器と送信装置は８ビットのバスを連結して両方向伝送の可能な素子をバス送信器には２個、送信装置には４個を用いることを特徴とする請求項１または２に記載の映像オーバーレーイメージコンバータ。
【請求項５】
前記映像ＲＡＭのインデックス部は複数個のメモリであって、スタチック非揮発性ＲＡＭを用いることを特徴とする請求項２に記載の映像オーバーレーイメージコンバータ。
【発明の詳細な説明】
【０００１】
【産業上の利用分野】
本発明は映像オーバーレー（video overlay ）イメージコンバータ（image converter ）に関し、より詳しくは、映像データの処理を主機能とする映像オーバーレーボードにイメージコンバータを追加することによって映像イメージから多様な効果を容易に得るための映像オーバーレーイメージコンバータに関する。
【０００２】
【従来の技術】
映像オーバーレーボードはマルチ映像の１つの分野である映像データ処理を主機能とする。映像オーバーレーカードはＶＧＡ（Video Graphic Adapter ）のコネクタからピクセルデータ（pixel data：表示面上において色もしくは輝度を指定できるデジタル画像構成における最小単位）同期信号、クロック信号などの入力を受けてＶＣＲ（Video Cassette Recorder ）、ＬＤＰ（Laser Disc Player ）、カムコーダーなどのＮＴＳＣ（カラーテレビ標準方式の選定のため米国において組織された委員会の標準方式）、ＰＡＬ（ドイツにおいて開発されたカラーテレビ標準方式）信号を受入れてＶＧＡモニタ上にディスプレイする機能を有しており、映像イメージの拡大、縮小、およびカラーキーによるイメージ調節機能を有している。
【０００３】
映像オーバーレーに用いられるメモリは２５６ＫＢ＊４ビット、処理速度１００ｎｓ（nanosecond：１０億分の１秒）の容量を有するビデオＲＡＭが６個用いられ、１ＫＢ＊５１２＊１２ビットの容量を有する２個のバンクからなり、ビデオＲＡＭ３個が１つのバンクをなす。
【０００４】
ただし、前記単位で用いられた１Kilo Byte は記憶容量を示す単位であって、１０２４バイトに相当する。
【０００５】
そのメモリはシステムメモリと重ならない１６ＭＢ（１Mega Byte は記憶容量の単位で１０6 バイトに相当する）以内の領域において１ＭＢ単位で設定され得る。各バンクあたり輝度データ貯蔵用として２個のビデオＲＡＭが用いられており、色度データ貯蔵用で１個のビデオＲＡＭが用いられており、中央処理装置によってアクセスが可能であるので停止映像をディスクに貯蔵することが可能である。
【０００６】
【発明が解決しようとする課題】
しかしながら、従来の映像オーバーレーボードを用いて映像イメージを垂直または水平に移動させるか、または反転あるいは回転させるか、またはミラー効果もしくは特定の色を表わす諸機能を提供しようとすれば、システムメモリなどの一定の領域をバッファで設定してイメージデータを複写した後、他の領域にさらに複写する諸機能をソフトウェアで実現しなければならないので中央処理装置の負荷を増加させ、かつ映像イメージを実時間で再生するのに困難が伴なうという短所がある。
【０００７】
【課題を解決しようとする手段】
したがって、本発明の目的は、従来の短所を解決することであって、個人用コンピュータの映像制御器と映像メモリとの間にイメージコンバータを追加することによって映像イメージを移動、反転、回転またはミラー効果などの多様な効果を中央処理装置の負荷の増加なしに実時間で容易に実現するための映像オーバーレーイメージコンバータを提供することである。
【０００８】
前記目的を達成しようとする本発明の構成は、
映像の輝度および色度データを貯蔵する映像メモリと、
映像メモリにデータを貯蔵するか、または映像メモリに貯蔵されたデータを読出してディスプレイするために映像メモリを制御する映像制御器と、
前記映像制御器と映像メモリとの間に映像メモリのアドレスインデックスデータを有して映像メモリ空間を変更させられる変換器と、
映像制御器と映像メモリとを連結して映像データに同期して伝送する輝度データと色度データそれぞれのバス送信器と、
からなる。
【０００９】
前記変換器の構成は、
映像制御器と映像メモリとを連結してメモリアドレスを伝送するバス送信器、ならびにシステムデータバスおよび映像メモリを直接連結して映像メモリとシステムの間のデータ交換を可能にするバス送信器を含む送信装置と、ＲＡＳ（Row Address Strobe；メモリセル中に列番地を知らせる信号）とＣＡＳ（Column Address Strobe ；メモリセル中に行番地を知らせる信号）アドレスインデックスを別に貯蔵するため複数個のマルチプレクサと複数個のメモリからなる映像ＲＡＭのインデックス部と、
からなる。
【００１０】
【実施例】
前記構成によって本発明を容易に実施できる最も好ましい実施例を、添付の図面を参照して説明すると次のとおりである。
【００１１】
図１は、本発明の実施例による映像オーバーレーイメージコンバータのブロック構成図である。
【００１２】
図１に示されているとおり、本発明の実施例における映像オーバーレーイメージコンバータの構成は、
ビデオＲＡＭ４を制御して映像データをビデオＲＡＭ４に貯蔵するか、またはビデオＲＡＭ４に貯蔵されたデータを読出してディスプレイする場合、その映像データのアドレス（ＭＡ）を変換器２に提供し、かつ映像輝度データ（ＹＦＢ）および色度データ（ＣＦＢ）をやり取りするため送信器３を通じてビデオＲＡＭ４と直接連結された映像制御器１と、
前記映像データをビデオＲＡＭ４に貯蔵するか、またはビデオＲＡＭ４に貯蔵されたデータを読出してディスプレイする場合には、映像制御器１において相当する映像データのアドレス（ＭＡ）の入力を受けてビデオＲＡＭ４に出力し、映像イメージを移動させるか、または反転、回転などの機能を実行する場合には、入出力アドレスポートを用いて中央処理装置のデータをシステムデータバス（ＳＤ９）を通じて入力を受けてスタチック非揮発性ＲＡＭ（２３ａ、２３ｂ）にインデックシングし、このインデックスデータを用いてビデオＲＡＭ４の空間を変更させて前記機能を行なう変換器２と、
送信器３を通じて映像の輝度データ（ＹＦＢ）と色度データ（ＣＦＢ）とをやり取りするため前記映像制御器１と連結され、前記変換器２を通じて映像イメージの前記諸機能を行なうための処理が終わった変換されたアドレス（ＣＡ）の入力を受けてその映像データをディスプレイできるようにするビデオＲＡＭ４と、映像制御器１とビデオＲＡＭ４とを連結して映像データに同期して伝送する輝度データ（ＹＦＢ）と色度データ（ＣＦＢ）それぞれのバス送信器３と、
からなる。
【００１３】
図２は、本発明の実施例による映像オーバーレーイメージコンバータ内の変換器の詳細なブロック構成図である。
【００１４】
図２に示されているとおり、本発明の実施例による映像オーバーレーイメージコンバータ内の変換器２の構成は、
映像制御器１とビデオＲＡＭ４とを連結して映像制御器１から出力されるメモリアドレス（ＭＡ）に同期を合わせてビデオＲＡＭ４に伝送して通常の映像信号を処理するバス送信器２２と、システムデータバス（ＳＤ９）とビデオＲＡＭ４とを直接連結してビデオＲＡＭ４とシステムとの間のデータ交換を可能にして映像イメージを修正するとき、または移動、反転、回転などの諸機能を行なうときシステムデータを伝送できるバス送信器２４からなる送信装置２０１と、
ＲＡＳとＣＡＳアドレスインデックスとを別に貯蔵するため複数個のマルチプレクサ（２１ａ、２１ｂ）と複数個のスタチック非揮発性ＲＡＭ（２３ａ、２３ｂ）からなり、スタチック非揮発性ＲＡＭ（２３ａ、２３ｂ）は、通常の映像信号処理のためには映像制御器１から出力されるメモリアドレス（ＭＡ）の入力を受けてビデオＲＡＭ４に前記アドレス（ＭＡ）を出力し、ビデオＲＡＭ４の各制御信号（ＣＶＲＡＳ、ＣＶＣＡＳ、ＣＶＯＥ、ＣＶＷＥ）を活性化させ、かつ映像イメージの修正および移動、反転、回転などの諸機能を行なう場合、システムデータバス（ＳＤ９）からシステムデータの入力を受けてビデオＲＡＭ４に使用しようとするデータの位置を変換器テーブルによって容易に変換することができ、変換器テーブル自体を容易に修正できるようにするスタチック非揮発性ＲＡＭ（２３ａ、２３ｂ）である、インデックス部２０２からなる。
【００１５】
前記構成に基づく本発明の実施例による映像オーバーレーイメージコンバータの作用は次のとおりである。
【００１６】
図３は、本発明の実施例による映像オーバーレーイメージコンバータ内のビデオＲＡＭのアドレス（ＭＡ）を変換器２にインデックスする過程を示したタイムチャートである。
【００１７】
図３に示されているとおり、本発明の実施例による映像オーバーレーイメージコンバータ内のビデオＲＡＭのアドレス（ＭＡ）を変換器２にインデックスする過程は次のとおりである。
【００１８】
まず、システムの入出力イネーブル（ＩＯＷ）信号が論理的レベルでローとなれば映像オーバーレーイメージコンバータが作動され、直ちにアドレスイネーブル（ＡＥＮ）信号が論理的レベルでローとなれば映像制御器１をイネーブルまたはディスエーブルにする入出力ポートが設定される。
【００１９】
前記状態において映像イメージ変換のため使用者が任意に入出力ポートＩＣＣを設定してデータ１を記入して映像制御器１におけるメモリアドレス（ＭＡ）出力をディスエーブルにし、その代わりセル（sel ）をイネーブルにしてシステムデータをラッチさせる。
【００２０】
ＲＡＳ、ＣＡＳアドレスを別々に設定するため入出力ポートＩＣＤが設定され、ＲＡＳ処理用マルチプレクサ（２１ａ）のクロック（ＲＭＵＸＣＬＫ）が活性化されてコンバージョンするＲＡＳアドレスがシステムからラッチされる。
【００２１】
入出力ポートＩＣＥが設定され、ＣＡＳ処理用マルチプレクサのクロック（ＣＭＵＸＣＬＫ）が論理的レベルハイに変わってマルチプレクサ（２１ｂ）が活性化されると変換するＣＡＳアドレスがシステムからラッチされる。
【００２２】
前記動作の実行の後、システムイネーブル信号（ＳＥ）が提供されて入出力ポートＩＣＦをデコーディングしてスタチック非揮発性ＲＡＭ（２３ａ）に前記デコーディングされたデータ値が記入されれば、これがビデオＲＡＭ４のアドレスのインデックスとなってこれを利用したアドレス変換が可能になる。
【００２３】
図４は、本発明の実施例による映像オーバーレーイメージコンバータのビデオＲＡＭ４の映像をディスプレイするときの変換器２の制御記号を示したタイムチャートである。
【００２４】
図４に示されているとおり、本発明の実施例による映像オーバーレーイメージコンバータのビデオＲＡＭ４の映像をディスプレイする過程は次のとおりである。
【００２５】
前記使用者が任意に設定して映像制御器１からビデオＲＡＭ４のアドレス（ＭＡ）出力をディスエーブルさせた入出力ポートＩＣＣに、今度はデータ０を記入して映像制御器１からビデオＲＡＭ４のアドレス（ＭＡ）出力をイネーブルし、前記インデックシング過程においてイネーブルさせたマルチプレクサ（２１ａ、２１ｂ）のセルをディスエーブルさせてマルチプレクサに入力される信号を映像制御器１のアドレス（ＭＡ）に切換えて前記映像制御器１のアドレスがＲＡＳ、ＣＡＳ信号として論理的レベルローの状態で提供され得る。
【００２６】
前記マルチプレクサ（２１ａ、２１ｂ）にＲＡＳ、ＣＡＳ信号がそれぞれ入力されながら、ＲＡＳ処理用マルチプレクサ（２１ａ）とＣＡＳ処理用マルチプレクサ（２１ｂ）のクロック（ＲＭＵＸＣＬＫ、ＣＭＵＸＣＬＫ）信号がイネーブル状態である論理的レベルハイに変わって各マルチプレクサ（２１ａ、２１ｂ）が活性化されてスタチック非揮発性ＲＡＭ（２３ａ、２３ｂ）に出力信号（ＲＡＤ、ＣＡＤ）が提供される。
【００２７】
図５は、本発明の実施例による映像オーバーレーイメージコンバータにおいてビデオＲＡＭ４の映像をディスプレイするときのビデオＲＡＭ４の制御信号を示したタイムチャートである。
【００２８】
図５に示されているとおり、前記変換器２のインデックス部２０２であるスタチック非揮発性ＲＡＭ（２３ａ、２３ｂ）にＲＡＤ、ＣＡＤ信号が入力されれば、スタチック非揮発性ＲＡＭ（２３ａ、２３ｂ）の出力を制御するイネーブル信号（ＲＯＷ、ＣＯＷ）が論理的レベルローとなってビデオＲＡＭ４アドレスをコンバージョンするためのデータがスタチック非揮発性ＲＡＭ（２３ａ、２３ｂ）に貯蔵された後出力（ＣＡ）されてビデオＲＡＭ４がさまざまに変換された動画像をディスプレイさせられるよう制御信号（ＣＶＲＡＳ、ＣＶＣＡＳ、ＣＶＷＥ）がイネーブル状態である論理的レベルローに変換される。
【００２９】
本発明の回路を構成した後、ＩＣＦポートをデコーディングしてデータをスタチック非揮発性ＲＡＭ（２３ａ、２３ｂ）に貯蔵するとき、次のようなプログラムを利用する。
【００３０】
ＭＯＶ    ＡＸ，  ０１ＦＦ
ＭＯＶ    ＤＸ，  ０１ＣＦ
ＯＵＴ    ＤＸ，  ＡＸ
【００３１】
【発明の効果】
前記プログラムにおいて０１ＦＦは入出力ポートＩＣＦポートにデコーディングされたデータであって使用者が望む作用によって異なる値で書込むことができる。
【００３２】
このようなルーチンでデータをアドレスに切換えて実時間イメージに変換する効果が得られる。
【００３３】
図１および図２に示されているとおり、本発明の実施例による映像オーバーレーイメージコンバータおよびその内部の変換器２の構成には各素子を活性化させる制御信号が必要である。
【００３４】
この制御信号の回路連結はプログラマブルアレイロジック（programmable Array Logic）からなる。
【００３５】
下記（表１）を例に挙げて説明すると、
まず、前記＊表示はプログラマブルアレイロジック内に論理積機能を表示し、＋表示は論理和機能を意味する。
【００３６】
／Ａ：ＩＣＥは入出力ポートを設定するアドレス値を示したものであって、使用者が入出力ポートＩＣＥを設定するためにはまずアドレスイネーブル信号が論理的レベルローであり、入出力イネーブル信号が論理的レベルローである状態、すなわち、動作が実行され得る状態において、１０ビット２進数で表記されるアドレスが１６進数でＩＣＥを表示できるようにしなければならない。
【００３７】
【表１】
0003738918.tif 000002
【００３８】
ＲＭＵＸＣＬＫの回路連結式は３つの異なる条件中いずれかの１条件が満たされればＲＡＳ処理用マルチプレクサ（２１ａ）を活性化させるクロック信号が入力されることを意味する。
【００３９】
また、前記ＲＡＳ処理用マルチプレクサ（２１ａ）はクロック信号が論理的レベルハイ状態とならなければ動作が行なえない。
【００４０】
／ＲＷＥ信号はＲＡＳ処理用マルチプレクサ（２１ａ）にデータが記入され得るようにする制御信号であって、論理的レベルロー状態が活性化状態であり、アドレスバスを通じてＩＣＦポートが設定され、入出力イネーブル信号が論理的レベルでロー状態であり、前記ＲＡＳ処理用クロック信号が論理的レベルハイ状態で入力される、すなわち、前記３つの条件が論理積で結合されて満たすときにのみＲＡＳ処理用マルチプレクサ（２１ａ）にデータの記入が可能であるように制御する。
【００４１】
以上のように、本発明の実施例において、個人用コンピュータ映像制御器と映像メモリとの間にイメージコンバータを追加することによって、映像イメージを移動、反転、回転またはミラー効果などの多様な効果を中央処理装置の負荷の増加なしに実時間で容易に実現する効果を有する映像オーバーレーイメージコンバータを提供することができる。
【図面の簡単な説明】
【図１】図１は、本発明の条件による映像オーバーレーイメージコンバータのブロック構成図である。
【図２】図２は、本発明の実施例による映像オーバーレーイメージコンバータ内の変換器の詳細なブロック構成図である。
【図３】図３は、本発明の実施例による映像オーバーレーイメージコンバータ内のビデオＲＡＭのアドレスを変換器にインデックシングする過程を示したタイムチャートである。
【図４】図４は、本発明の実施例による映像オーバーレーイメージコンバータにおいてビデオＲＡＭの映像をディスプレイするときの変換器の制御信号を示したタイムチャートである。
【図５】図５は、本発明の実施例による映像オーバーレーイメージコンバータにおいてビデオＲＡＭの映像をディスプレイするときの、ビデオＲＡＭの制御信号を示したタイムチャートである。
【符号の説明】
１  映像制御器
２  変換器
３  バス送信器
４  ビデオＲＡＭ
２１ａ，２１ｂ  マルチプレクサ
２２  バス送信器
２３ａ，２３ｂ  スタチック非揮発性ＲＡＭ
２４  バス送信器
２０１  送信装置
２０２  インデックス部
【図１】
0003738918.tif 000004
【図２】
0003738918.tif 000005
【図３】
0003738918.tif 000006
【図４】
0003738918.tif 000007
【図５】
0003738918.tif 000008